(57)【要約】【課題】探触子をエレベーション方向に連続移動させながら超音波画像を取得する超音波装置において、簡易な構成で、画像取得速度を損なわずにエレベーション方向の画像分解能を向上する。【解決手段】超音波装置は、探触子（１）をエレベーション方向に移動する移動機構と、エレベーション方向に沿った各位置において、受信信号（６）を整相加算して第１の加算信号（１０）を出力する第１の整相加算回路（９）と、第１の整相加算回路の出力を遅延回路（２３ａ、２３ｂ）に通過させることにより、異なる位置で得られた複数の第１の加算信号を並列に出力する信号切り出し回路（２４）と、信号切り出し回路から出力される複数の第１の加算信号（ａ，ｂ，ｃ）を整相加算して第２の加算信号を出力する第２の整相加算回路（２７）と、第２の加算信号を用いて被検体内部の画像を生成する画像処理回路と、を備える。【選択図】図２
2010269046.tif 000002
【特許請求の範囲】
【請求項１】
音響波を電気信号に変換する複数の素子が少なくとも第１の方向に沿って配列されている探触子と、
前記探触子を被検体の表面に沿って前記第１の方向に交差する第２の方向に移動する移動機構と、
前記第２の方向に沿った各位置において、前記複数の素子で得られた信号を整相加算して第１の加算信号を出力する第１の整相加算回路と、
前記第１の整相加算回路の出力を１以上の遅延回路に通過させることにより、異なる位置で得られた複数の第１の加算信号を並列に出力する信号切り出し回路と、
前記信号切り出し回路から出力される複数の第１の加算信号を整相加算して第２の加算信号を出力する第２の整相加算回路と、
前記第２の加算信号を用いて被検体内部の画像を生成する画像処理回路と、
を備えることを特徴とする超音波装置。
【請求項２】
電子走査により、前記第１の方向に平行で、かつ、前記第２の方向に交差するスライス面内の複数の位置に対応する第１の加算信号が得られることを特徴とする請求項１に記載の超音波装置。
【請求項３】
前記遅延回路の遅延時間が、一スライス面の走査期間に対応する時間に設定されていることを特徴とする請求項２に記載の超音波装置。
【請求項４】
前記第２の整相加算回路が複数設けられており、
前記複数の第２の整相加算回路は、整相加算の基準となる焦点の位置が互いに異なっていることを特徴とする請求項１〜３のいずれかに記載の超音波装置。
【請求項５】
前記第１の整相加算回路と前記第２の整相加算回路の一方または両方は、整相加算する際に、各信号に対し該信号が得られた位置に応じた重みを付けることを特徴とする請求項１〜４のいずれかに記載の超音波装置。
【請求項６】
前記音響波は、前記素子から送信された超音波が被検体内部で反射されて生じたエコー信号であることを特徴とする請求項１〜５のいずれかに記載の超音波装置。
【請求項７】
前記音響波は、電磁波の照射によって被検体内部に誘起される光音響波であることを特徴とする請求項１〜５のいずれかに記載の超音波装置。
【発明の詳細な説明】
【技術分野】
【０００１】
本発明は、超音波により被検体内部の情報を取得する超音波装置に関し、特に機械的に走査される探触子を有する超音波装置に関する。
【背景技術】
【０００２】
従来、乳がんの早期発見のための有力な画像診断装置としてＸ線マンモグラフィー装置が知られている。また近年、Ｘ線の代わりに生体にパルスレーザ光を照射し、生体内部の光吸収体の熱膨張によって誘起される光音響波に基づいて生体内部の３次元構造を画像化する光音響イメージング法が開発され、異常新生血管などの潜在的腫瘍を容易に判定できる新しいマンモグラフィー装置として注目されている。
【０００３】
このようなマンモグラフィー装置は、他の装置では検出の難しい異常部位を明確な画像として検出可能にするという特徴がある。しかし、早期がんの診断を正確に行うためには、一般に、マンモグラフィー画像と超音波エコー画像を併用しての診断が必要とされている。このため、例えば特許文献１、２には、超音波診断装置を組み入れたＸ線マンモグラフィー装置の実施例が開示されている。これらの装置では、被検体である乳房を圧迫板に固定し、圧迫板に沿ってマンモグラフィー用のセンサと超音波探触子を機械的に走査することによって、乳房全体のマンモグラフィー画像と３次元超音波エコー画像とが同時に取得される。
【先行技術文献】
【特許文献】
【０００４】
【特許文献１】特開２００６−１０２４９４号公報
【特許文献２】特開２００８−１６１２８３号公報
【特許文献３】特開平５−３４４９７５号公報
【特許文献４】特開平５−１４６４４４号公報
【発明の概要】
【発明が解決しようとする課題】
【０００５】
超音波探触子を機械的に走査して広い領域の３次元エコー画像を取得するためには、１次元配列探触子を素子の配列方向と直交ないし交差する方向（以下エレベーション方向と言う）に連続移動させながらエコー画像を取得する方法が速度的にもコスト的にも最も有利である。１次元配列探触子では、配列方向と超音波ビーム発信方向の電子走査によって一つの断層スライス像を再構成することが出来る。よって、エレベーション方向の各位置において作成された断層スライス像を積み重ねることによって、機械走査領域全体の３次元画像を取得することが出来る。
【０００６】
しかし、この方法にはスライス面内での画像分解能に比較してエレベーション方向への画像分解能が大幅に低下するという問題があった。その第１の理由は、探触子の機械走査を遅くして断層スライス面の取得ピッチを細かくすることが被検者の肉体的負担を増加させることになるため、エレベーション方向の画素密度をある程度粗くせざるをえないからである。また第２の理由は、１次元配列探触子のエレベーション方向の実効的開口角が配列方向に比べて小さく、エレベーション方向の再構成分解能が劣化するからである。２次元配列探触子を用いればこれらの問題はある程度改善できるが、送受信素子数の増加により必要な電気回路規模が大きくなり、コスト的に実用化が難しいという新たな問題が発生する。
【０００７】
本発明の目的は、探触子をエレベーション方向に連続移動させながら超音波画像を取得する超音波装置において、簡易な構成で、画像取得速度を損なわずにエレベーション方向の画像分解能を向上することである。
【課題を解決するための手段】
【０００８】
本発明に係る超音波装置は、音響波を電気信号に変換する複数の素子が少なくとも第１の方向（素子の配列方向）に沿って配列されている探触子と、前記探触子を被検体の表面に沿って前記第１の方向に交差する第２の方向（エレベーション方向）に移動する移動機構と、前記第２の方向に沿った各位置において、前記複数の素子で得られた信号を整相加算して第１の加算信号を出力する第１の整相加算回路と、前記第１の整相加算回路の出力を１以上の遅延回路に通過させることにより、異なる位置で得られた複数の第１の加算信号を並列に出力する信号切り出し回路と、前記信号切り出し回路から出力される複数の第１の加算信号を整相加算して第２の加算信号を出力する第２の整相加算回路と、前記第２の加算信号を用いて被検体内部の画像を生成する画像処理回路と、を備えることを特徴とする。
【発明の効果】
【０００９】
本発明によれば、探触子をエレベーション方向に連続移動させながら超音波画像を取得する超音波装置において、簡易な構成で、画像取得速度を損なわずにエレベーション方向の画像分解能を向上することが可能である。
【図面の簡単な説明】
【００１０】
【図１】実施例１の超音波装置の送信処理に係る構成を示す図。
【図２】実施例１の超音波装置の受信処理に係る構成を示す図。
【図３】電子走査により得られる断層スライス面内の信号を示す図。
【図４】機械走査の経路と機械走査により得られる信号を示す図。
【図５】合成開口法の説明図。
【図６】本発明の原理の説明図。
【図７】実施例２の超音波装置の受信処理に係る構成を示す図。
【図８】実施例３の超音波装置の受信処理に係る構成を示す図。
【図９】実施例３で挿入される断層スライス面を示す図。
【図１０】実施例４の超音波装置の探触子を示す図。
【発明を実施するための形態】
【００１１】
本発明に係る超音波装置は、音響波（典型的には超音波）により被検体内部の情報を取得する装置であり、例えば、医療用の超音波診断装置などに利用されるものである。本発明の超音波装置は、基本構成として、音響波を電気信号に変換する複数の素子が配列された探触子と、この探触子を被検体の表面に沿ってエレベーション方向に移動（機械走査）する移動機構とを備える。なお探触子としては、複数の素子が１次元に配列されている１次元配列探触子と、複数の素子が２次元（マトリクス状）に配列されている２次元配列探触子のいずれを用いることもできる。ただし、装置の小型化および低価格化のために、１次元配列探触子を用いることが好ましい。通常、素子の配列方向（第１の方向）に交差（直交もしくは実質的に直交）するようにエレベーション方向（第２の方向）が設定される。
【００１２】
エレベーション方向の画像分解能を向上するためには、連続する断層スライス面での入力信号を用いて２次元の整相加算を実行すればよい。２次元の整相加算とは、探触子の素子の配列方向（第１の方向）に関する整相加算と、エレベーション方向（第２の方向）に関する整相加算である。ただし、１次元配列探触子は連続移動しており、各スライス面での超音波送受信時点が異なっているので、配列方向の整相加算は通常の整相加算とし、エ
レベーション方向の整相加算は合成開口原理に基づいた整相加算とすることが必要である。なお整相加算とは、注目点（焦点）と受信点の間の音響波の伝播距離に応じて各素子からの複数の信号の位相を調整した後、その複数の信号を加算（合成）して、当該注目点の情報を表す信号を得る処理のことをいう。
【００１３】
本発明は２次元の整相加算を比較的小型の回路を付加することにより実現する。本発明では、まず１次元配列探触子を被検体表面に沿って機械的に連続移動しながら、第１の整相加算回路によって配列方向に受信信号の１次元整相加算を繰り返し、断層スライス面ごとの整相加算計算を行う。断層スライス面とは、素子の配列方向に平行で且つエレベーション方向に交差（直交）する面である。それにより、エレベーション方向に沿った各位置において、複数の断層スライス面の整相加算信号（第１の加算信号）が周期的に計算され出力される。そして、第１の整相加算回路から出力される整相加算信号を１以上の遅延回路に通過させることで、連続する複数の断層スライス面における対応位置の整相加算信号を並列に切り出す。遅延回路の遅延時間は、一スライス面の走査期間に対応する時間に設定するとよい。２以上の遅延回路を組み合わせる場合は、遅延回路をカスケード接続し、前段の遅延回路の出力を次段の遅延回路に入力する。このようにして切り出された複数の整相加算信号を第２の整相加算回路によってエレベーション方向に整相加算し、第２の加算信号を得る。画像処理回路はこの第２の加算信号を用いて被検体内部の超音波エコー画像を生成する。
【００１４】
なお、１次元探触子を機械的に走査して３次元超音波エコー画像を作成する装置に関しては、一旦全部の受信データを波形メモリに記録し、後で合成開口原理に基づく整相加算処理を行う装置構成が特許文献３（特開平５−３４４９７５号公報）に開示されている。しかしこの装置構成では、大容量の波形メモリが必要である上に画像再構成のリアルタイム処理が難しいという問題がある。
【００１５】
２次元の整相加算を１次元整相加算の縦列結合で実施する方法は、特許文献４（特開平５−１４６４４４号公報）に開示されている。この公知例の目的は、２次元配列探触子のマトリクス状に配列された送受信素子からの出力信号を並列に整相加算する整相加算回路の回路規模を軽減することである。そのために、まず送受信素子を１列ずつ駆動して整相加算してその結果をメモリに記憶する。次にそのメモリを読み出して行方向に整相加算する。しかし、この公知例は探触子を機械的に移動して大きな領域の３次元超音波エコー画像を取得するための概念には全く触れていない。また、この装置構成でも、各列のデータを記憶するために比較的大容量のメモリが必要となるし、画像再構成のリアルタイム処理が難しいという問題が生じる。
【００１６】
本発明の超音波装置は、（１）受信信号を整相加算する回路、（２）遅延回路を用いて、複数の断層スライス面の対応位置の整相加算信号を並列に切り出す回路、（３）切り出された複数の整相加算信号をエレベーション方向に整相加算する回路を備える。この構成により、比較的小型の回路でリアルタイム性を損なうことなくエレベーション方向の画像分解能を向上させることができる。
【００１７】
なお、本発明における第１の整相加算は、各断層スライス面内の整相加算信号を計算するための処理である。したがって、２次元に素子が配列されている２次元配列探触子を用いる場合は、第１の整相加算回路が２次元整相加算によって一つ又は複数の断層スライス面内の整相加算信号を算出するように構成するとよい。あるいは、２次元配列探触子の１列分の素子のみ駆動して１次元の受信信号を得ることで、２次元配列探触子を１次元配列探触子として利用することもできる。
【００１８】
また、本発明は、送信超音波の反射によって生じたエコー信号ばかりでなく、パルスレ
ーザから照射されたパルス状の電磁波によって被検体内部に誘起された光音響信号に対しても同様に適用可能である。この場合、まず電磁波源と探触子とを一体化して連続移動し、電磁波によって誘起された音響波を探触子で受信するようにすれば、超音波の場合と同様な処理で３次元光音響画像を再構成することが出来る。すなわち、本発明において「音響波」とは、被検体に送信した超音波が反射した超音波（エコー超音波）のみならず、被検体に照射したパルス光によって生体内の光吸収体が膨張して発生する光音響波も含む概念である。
【００１９】
以上述べた本発明の構成によれば、探触子を機械走査することにより、広い領域の３次元超音波画像を取得することができる。また、１又は複数の遅延回路からなる小型かつ安価な回路を追加するだけで、整相加算処理および画像再構成処理のリアルタイム性を損なうことなく、エレベーション方向の画像分解能を向上できる。したがって、１次元配列探触子の機械走査を用いた比較的安価な装置方式で、高分解能かつ均質な３次元超音波画像を高速に取得可能な超音波装置が実現できる。更に小型の探触子を連続移動させる方式のため、センサを等速移動させるマンモグラフィー装置との併用が容易である。
【００２０】
＜実施例１＞
（超音波の送信）
図１および図２を用いて本発明の実施例１を説明する。図１は１次元配列探触子１（以下、単に「探触子」ともよぶ）を用いて超音波ビーム５を発信するリニア走査方式の原理を示した図である。超音波ビームは探触子１の１個の送受信素子から発信することもできる。しかし通常は、図１に示すように複数の送受信素子を駆動し（以下、駆動する素子群を「送受信素子群２」とよぶ）、強度が強く指向性の高い１本の超音波ビーム５を発信するようにしている。この場合、送受信素子群２の個々の送受信素子には、送信中心位置から外側に行くにしたがって少しずつ早めにパルス状の駆動信号４を、送信制御回路３から印加する。この結果、各送受信素子から発生した超音波は、図１のように中心部に向かって収束する方向に伝播し、全体として送受信素子群２の中心部から発した１本の強い送信ビーム５が形成される。
【００２１】
パルス状の超音波を発信した直後に送受信素子群２は送信動作から受信動作へと切り替えられ、後述のように被検体内部で反射された超音波エコー信号を受信する。受信終了後、隣接位置の送受信素子群が図にはないスイッチ回路によって選択され、新たな送受信素子群２として同様な送受信動作を行う。このように、送受信素子群２を探触子１の左端から右端まで順次移動しながら送受信を繰り返すことにより、送信ビーム５は探触子の表面に垂直な断層スライス面の内部を順次電子走査することができる。
【００２２】
（超音波の受信）
図２は実施例１の超音波装置の受信処理に係る構成を示す図である。超音波装置は、第１の整相加算回路９、信号切り出し回路２４、第２の整相加算回路２７、検波回路１１、画像メモリ１２、ＣＰＵを備える。第１の整相加算回路９は遅れ調整回路７と加算回路８から構成される。信号切り出し回路２４は遅延回路２３ａ、２３ｂから構成される。第２の整相加算回路は遅れ調整回路２５と加算回路２６から構成される。
【００２３】
まず図２を参照して、反射波を受信する時の超音波装置の動作を説明する。今、送信ビーム５が距離ｒの位置の点Ｐで反射して送受信素子群２に受信されたとすると、各送受信素子が受信する受信信号６は反射波の伝播距離に応じて時刻がずれて受信される。すなわち、点Ｐから反射された反射波信号６は、送受信素子群２の中心位置から外側の素子になるにしたがって遅れて受信される。そこで、送受信素子群２の中心位置で受信された信号を基準として各送受信素子の受信信号６の遅れ時間を遅れ調整回路７によって調整し、それぞれの送受信素子の受信信号に含まれる点Ｐからの反射信号成分を加算回路８で加算す
る。これにより、点Ｐを焦点とした強い信号が受信できる。受信素子にはいろいろな方向からの超音波エコー信号が重畳して受信されるが、他の点からの超音波エコー信号は加算しても受信波の位相がそろっていないので大きな信号成分になることはない。
【００２４】
距離ｒの点Ｐからの反射波が送受信素子群２の中心位置で受信される時刻ｔは、既知の音速をｃとすると  ｔ＝２ｒ／ｃで表せる。したがって、時刻ｔを基に対応する反射位置までの距離ｒが計算でき、計算されたｒを基に各素子の信号遅延時間が計算できる。受信時刻ｔとともにリアルタイムで対応距離ｒに応じた適切な遅れ時間の調整を遅れ調整回路７で行うようにすると、全ての点で焦点の合った強い１次元反射信号波形を形成することが出来る。この結果、送信ビームの経路に沿った１次元領域の反射信号波形、すなわち超音波エコー信号１０が形成できる。したがって、前述の電子走査の方法で超音波ビームの送受信を繰り返せば、図３のように、１次元エコー信号１３がラスタ走査形式で出力されることになり、断層スライス面１４の超音波エコー信号を取得することが出来る。
【００２５】
出力されるエコー信号は送信波の周波数成分を持った信号なので、エコー信号を検波回路１１によって包絡線強度に変換して一旦画像メモリ１２に記憶する。そしてＣＰＵが画像メモリ１２の内容を読み取って画像表示装置（図にはない）に断層スライスの超音波エコー画像を表示する。つまり、この実施例では、検波回路１１、画像メモリ１２、およびＣＰＵにより画像処理回路が構成されている。
【００２６】
なお、加算回路８は、入力信号を加算する際に、各入力信号に対しその信号が得られた位置に応じた重みを付けることもできる。このような重み付き加算処理はアポダイジング処理とよばれる。アポダイジング処理は、受信開口を制御したり周辺からの干渉波の影響を減らしたりする効果がある。この重みは目的に応じて固定でも良いし受信時刻に応じて変化するようにしても良い。
【００２７】
（機械走査）
図４Ａは探触子１をエレベーション方向の移動経路２１に沿って機械的に移動させ、広い検査領域２０の３次元エコー画像を取得する動作を示した図である。なお探触子１の移動機構は公知のものを利用できるので、図示および詳しい説明を省略する。図のように探触子１を等速で移動し、移動経路２１上の各位置において前述の断面スライス画像を繰り返し取得すれば、取得した断層スライス像を密に並べることにより検査領域全体の３次元エコー画像とすることが出来る。
【００２８】
図４Ｂは探触子１がエレベーション方向に連続移動しながら、断層スライス面を順に、・・・、ＳＬ＃（ｎ−１）、ＳＬ＃（ｎ）、ＳＬ＃（ｎ＋１）、・・・、と出力する時に、出力される超音波エコー信号２２の走査順を示したものである。図のように、各断層スライス面の内部は実線で示した超音波発信ごとのエコー信号２２が電子走査によりラスタ走査順に計算出力され、エレベーション方向には一定周期で断層スライス面が計算出力される。この結果、各断層スライス面内の特定位置ａ，ｂ，ｃのエコー信号は、一定周期ごとに出力されることになる。この時、探触子はステップ・アンド・レピート方式で間欠的に移動するものであっても良いし、連続的に移動するものであっても良い。連続的に移動する場合、断層スライス面は厳密には移動方向と直交しないが、説明をわかりやすくするためにここでは直交しているものとする。
【００２９】
（２次元の整相加算）
図２に戻って、２次元の整相加算について説明する。実施例１では、第１の整相加算回路９の後段に、遅延回路２３ａ、２３ｂから構成される信号切り出し回路２４と第２の整相加算回路２７とを付加することで、２次元の整相加算を実現できる。遅延回路２３ａ、２３ｂはカスケード接続されており、第１の整相加算回路９の出力（第１の加算信号）が
遅延回路２３ｂに入力され、遅延回路２３ｂの出力が遅延回路２３ａに入力される。遅延回路２３ａ、２３ｂの遅延時間は、一スライス面の走査期間に対応する時間に設定されている。第１の整相加算回路９からは図４Ｂに示した順に超音波エコー信号が出力されるので、この信号切り出し回路２４によって、図４Ｂのａ，ｂ，ｃで示すように連続するスライス面の同じ位置のエコー信号が並列に出力される。したがって、信号切り出し回路２４の後段に遅れ調整回路２５と加算回路２６を設ければ、エレベーション方向の整相加算が実行できる。
【００３０】
この実施例ではスライス面の走査期間（走査の繰り返しピッチ）が一定であることを仮定して、遅延回路２３ａ、２３ｂの遅延時間を一定値に設定している。しかし、何らかの理由により繰り返しピッチが乱れたり無駄時間が発生する場合には、遅延回路２３ａ、２３ｂの起動と停止を適切に制御する手段を追加して、常に連続する断層スライス面の同じ位置のエコー信号が並列に出力されるようにすることができる。また、遅延回路２３ａ、２３ｂと遅れ調整回路２５はどちらも遅延時間を調整する回路なので、統合して一つの遅れ調整回路としたり、遅延時間の分割方法を種々に変えて実施したりすることも可能である。このような変形は本発明の主旨を変えるものではない。
【００３１】
図５Ａ〜図５Ｄは合成開口法の原理を説明した図である。図において配列された小さな楕円図形３０は各断層スライス面を走査するときの各送受信素子の位置を示し、点Ｐは３次元空間内の任意の注目点を示す。図５Ａは四角図形３１ａで囲った送受信素子群が（ｎ−１）番目の断層スライス面を走査する時点を示している。中心部Ｓａから発信した超音波ビームの一部が点Ｐの方向にも伝播し、その反射波が四角図形３１ａの位置にある送受信素子によって受信される。図５Ｂは探触子がｎ番目の断層スライス位置に移動した状態を示している。四角図形３１ｂで囲った送受信素子群が中心部Ｓｂから超音波ビームを発信し、その一部が点Ｐの方向へも伝播し、その反射波を四角図形３１ｂの位置にある送受信素子群が受信する。図５Ｃは四角図形３１ｃの位置にある送受信素子群が点Ｐに対して超音波を送受信する様子を示している。
【００３２】
各断層スライス面での送受信時点はそれぞれ異なっている。ここで送信から受信までの時間を伝播距離と音速から計算し、受信素子ごとに加算すべき信号の受信時刻を調整して同一の点Ｐからの反射信号を加算する。その結果、図５Ｄのように四角図形３２の位置にある送受信素子群からなる仮想的２次元探触子で受信した信号を２次元整相加算で計算した場合と等価な結果を得ることが出来る。このようにすると、１次元探触子を用いているにもかかわらず２次元探触子を用いた場合に近い解像度のエコー画像を取得することができ、特にエレベーション方向の解像度を向上させることが可能になる。このような超音波発信時刻の異なる受信信号を合成して受信開口を実質的に大きくした場合と同等な性能を得る方法は合成開口法として公知の技術である。
【００３３】
したがって、過去の走査における全ての送受信素子の受信信号をメモリ装置に記憶しておき、メモリ装置から２次元配列の受信信号を同時に読み出して２次元整層加算を行えば、エレベーション方向の分解能を向上させることができる。しかし、この方法には、大容量のメモリ装置、および多数の受信信号をリアルタイムで整相加算する回路が必要となり、装置コスト面での問題がある。
【００３４】
図６はコスト面での問題を解決する本発明の原理を説明する図である。説明を簡単にするために、注目点Ｐは断層スライスＳＬ＃（ｎ）の面内にあるものとする。送受信素子群の中心Ｓ０から垂直に発した超音波ビームは点Ｐにおいて反射し、Ｒ０位置の送受信素子で受信される。次に探触子は断面スライスＳＬ＃（ｎ＋１）の位置に移動し、Ｓ０に対応する位置Ｓ１から再び超音波ビームを発信する。超音波ビームは垂直方向に発信されるが、その一部が断層スライス面ＳＬ＃（ｎ）内の点Ｐの方向にも伝播し、点Ｐで反射された
超音波が点Ｒ０に対応する点Ｒ１で受信される。前述の合成開口原理の整相加算は、Ｒ０での受信信号とＲ１での受信信号とを、それぞれ発信から点Ｐで反射して受信するまでの伝播時間に相当する受信時間のずれを調整して加算すれば実現できる。
【００３５】
次に、点Ｓ１から断層スライス面ＳＬ＃（ｎ＋１）内の垂直方向にＰまでと同じ距離の点Ｑを考える。この場合、点Ｓ１，Ｐ，Ｒ１からなる三角形と点Ｓ１，Ｑ，Ｒ１からなる三角形とは明らかに合同だから、点Ｓ１から点Ｐを経由して点Ｒ１に到達する時間と点Ｓ１から点Ｑを経由して点Ｒ１に到達する時間は同じになる。この関係はＲ１位置の送受信素子だけでなく同じ送受信素子群の他の受信素子に関しても全く同じになるから、断層スライス面ＳＬ＃（ｎ＋１）の位置において点Ｐを焦点とした１次元整相加算結果と点Ｑを焦点とした整相加算結果とは全く同じ加算信号となる。したがって、点Ｐに対する２次元の整相加算は、一旦断層スライス面ごとに１次元整相加算を行って点Ｐと点Ｑの整相加算信号を求め、次にエレベーション方向に適切な１次元整相加算を行って点Ｐと点Ｑの整相加算信号を加算すれば良いことがわかる。
【００３６】
図２で示した実施例１の超音波装置は、この原理をリアルタイム処理回路で実現したものである。第１の整相加算回路９から出力される第１の加算信号１０を信号切り出し回路２４に入力すれば、３つのスライス面の対応点に関する第１の加算信号が並列に切り出される。信号切り出し回路２４から出力される信号を用いて、第２の整相加算回路２７により合成開口法に基づく整相加算を行えば、前述のように２次元の整相加算を実行したことと等価になる。
【００３７】
この結果、単に１次元整相加算だけを行った場合に比べて、エレベーション方向の分解能を向上させることが出来る。また、２次元整相加算に寄与する送受信素子の数をＮ、スライス面の数をＭとすると、直接２次元整相加算を行う場合にはＭ×Ｎ個の入力信号の整相加算が必要になるのに対して、本実施例の方法はＭ＋Ｎ個の入力信号の整相加算が必要になるだけである。したがって、直接２次元整相加算を行う場合に比較して回路規模を大幅に削減することが出来る。更に、信号切り出し回路２４と第２の整相加算回路２７はパイプライン式に並列で動作するので、１次元整相加算だけの場合と同様のリアルタイム処理が可能となるという特徴がある。
【００３８】
＜実施例２＞
図７は実施例２の超音波装置の受信処理に係る構成を示している。実施例２では、整相加算をする時に、各信号に重みをつけるアポダイジング処理を行う。アポダイジング処理は、整相加算の焦点位置に応じて開口寸法を最適調整するため、あるいは他方向から進入する妨害音響波の影響を少なくするために有効である。本実施例では、第１の整相加算回路９の加算回路８、および第２の整相加算回路２７の加算回路２６の前段に、それぞれに重み乗算回路４１、４２を追加することでアポダイジング処理を行うことを可能にする。この場合の重みは固定でも良いし、信号の受信時刻に応じて可変にしても良い。なお本実施例では第１の整相加算回路９と第２の整相加算回路２７の両方でアポダイジング処理を行うが、いずれか一方だけでアポダイジング処理を行う構成でも良い。
【００３９】
＜実施例３＞
図８は実施例３の超音波装置の受信処理に係る構成を示している。実施例３では、第２の整相加算回路が複数設けられており、それら複数の第２の整相加算回路は整相加算の基準となる焦点の位置（エレベーション方向の位置）が互いに異なっている。
【００４０】
図６の説明においては簡単のために、機械走査で得られる断層スライス面内に焦点Ｐがあることを仮定したが、原理上点Ｐは任意の位置にあってもよい。そこで本実施例では、複数の第２の整相加算回路のそれぞれが互いに異なる断層スライス面に焦点を設定して整
相加算処理を行う。具体的には、本実施例の超音波装置は、遅れ調整回路２５ａ、２５ｂ、２５ｃ、２５ｄと加算回路２６ａ、２６ｂ、２６ｃ、２６ｄとで構成される、４個の第２の整相加算回路を備える。それぞれの第２の整相加算回路には、信号切り出し回路２４から同じ信号が入力される。また第２の整相加算回路の出力は、対応する検波回路１１ａ、１１ｂ、１１ｃ、１１ｄに入力される。この構成により、４個の断層スライス面ＳＬ＃（４ｎ）、ＳＬ＃（４ｎ＋１）、ＳＬ＃（４ｎ＋２）、ＳＬ＃（４ｎ＋３）が並列に計算され画像メモリ１２に格納される。実施例３によれば、図９に示すように第１の整相加算回路９から出力される断層スライス面の密度を４倍に拡張し、出力される３次元エコー画像のエレベーション方向のボクセル密度を高めることが出来る。なお、本実施例においてもアポダイジング処理を行ってもよい。
【００４１】
＜実施例４＞
図１０は実施例４を示している。実施例４の超音波装置は光音響マンモグラフィー装置であり、光音響波を受信するための２次元配列センサ５１と１次元超音波探触子１とが一体化された探触子を用いて、被検体表面２０を経路２１に沿って機械的に走査する。光音響マンモグラフィー装置は、パルスレーザなどのパルス状の電磁波を被検体に照射し、被検体内部で誘起された光音響波を２次元配列センサ５１で受信し、その受信信号を基に被検体内部の３次元画像を再構成する装置である。光音響マンモグラフィー装置の２次元センサは電磁波照射後の短時間に並列に音響波を受信するので、等速で移動しながら高品質の音響信号を受信することができる。一方、１次元超音波探触子１は、実施例１〜３と同様にエコー超音波を受信する。そして実施例１〜３と同じように、この受信信号に対して２次元の整相加算処理を行うことで、高分解能の超音波画像が得られる。本実施例によれば、広い検査領域２０の光音響画像と高分解能の超音波画像とを高速に取得できる光音響マンモグラフィー装置を容易に構成することが出来る。
【符号の説明】
【００４２】
１…１次元配列探触子、９…第１の整相加算回路、２３ａ，２３ｂ…遅延回路、２４…信号切り出し回路、２７…第２の整相加算回路、１１…検波回路
【図１】
2010269046.tif 000003
【図２】
2010269046.tif 000004
【図３】
2010269046.tif 000005
【図４】
2010269046.tif 000006
【図５】
2010269046.tif 000007
【図６】
2010269046.tif 000008
【図７】
2010269046.tif 000009
【図８】
2010269046.tif 000010
【図９】
2010269046.tif 000011
【図１０】
2010269046.tif 000012